(57)【特許請求の範囲】
【請求項１】
部品とパネルとを振動を吸収しながら固定する防振クリップであって、ピン状の雄部材と筒状の雌部材とから成り、雄部材は、拡大頭部と雌部材内に差し込まれる軸部を有し、雌部材は、フランジ部と雄部材の軸部で外方へ拡開してパネル側の取付孔に係着する胴部を有して、当該胴部の中間にパネル側の取付孔の周面に当接する鍔部を形成し、該鍔部に撓み可能な複数の振動吸収腕を上記フランジ部と間隔を画する状態で立設して、当該各振動吸収腕の先端部を部品側の取付孔の孔縁に弾性的に係止させて部品を保持する一方、上記鍔部よりも下側の胴部を外方へ拡開させて、当該鍔部とその下側で拡開した胴部とでパネルを挾持することを特徴とする防振クリップ。
【請求項２】
部品とパネルとを振動を吸収しながら固定する防振クリップであって、ピン状の雄部材と筒状の雌部材とから成り、雄部材は、拡大頭部と雌部材内に差し込まれる軸部を有し、雌部材は、フランジ部と雄部材の軸部で外方へ拡開してパネル側の取付孔に係着する胴部を有して、雄部材の拡大頭部に部品側の取付孔の周面に弾接する撓み可能な複数の振動吸収腕を垂設すると共に、雌部材のフランジ部に撓み可能な複数の振動吸収腕を立設して、当該フランジ部に立設された各振動吸収腕の先端部を部品側の取付孔の孔縁に弾性的に係止させて部品を保持する一方、雌部材のフランジ部がパネル面に当接すると共に、雄部材の拡大頭部側の振動吸収腕と雌部材のフランジ部側の振動吸収腕とで部品を上下方向からの振動を吸収できるように挾持することを特徴とする防振クリップ。
【請求項３】
部品とパネルとを振動を吸収しながら固定する防振クリップであって、ピン状の雄部材と筒状の雌部材とから成り、雄部材は、拡大頭部と雌部材内に差し込まれる軸部を有し、雌部材は、フランジ部と雄部材の軸部で外方へ拡開してパネル側の取付孔に係着する胴部を有して、当該胴部に放射状に湾曲して延びる撓み可能な複数の振動吸収片を設け、該各振動吸収片の先端縁に環状凹溝を備えたリング体を一体に連設して、当該リング体の環状凹溝を部品側の取付孔の孔縁に弾性的に係止させて部品を保持することを特徴とする防振クリップ。
【発明の詳細な説明】
【０００１】
【発明の属する技術分野】
本発明は、特に、各種の板状部品と所定パネルとを振動を吸収しながら固定するために使用されるツーピース型の防振クリップに関するものである。
【０００２】
【従来の技術】
例えば、自動車の車体パネル側にブラケット等の板状部品を固定する際に、一方に生じる機械的振動を他方に伝えることが好ましくないような場合には、通常は、板状部品とパネルと間に合成ゴム等で成形された振動吸収体を介在させて、当該振動吸収体の弾力性を利用して、上記の機械的振動を吸収している。
【０００３】
その防振固定構造の一例を示すと、図１４に示す如く、パネルＰ側にスタッドボルトＢを立設し、部品３１側に振動吸収体３３を装着する切欠口付の取付孔３２を開設する一方、振動吸収体３３を円筒状体に成形して、該振動吸収体３３の内側に金属カラー３６を嵌入する貫通孔３４を形成すると共に、同外周面に上記取付孔３２の孔縁と係止する環状凹溝３５を形成する構成となっている。
【０００４】
そして、実際に、部品３１をパネルＰ側に固定する場合には、まず、振動吸収体３３をその環状凹溝３５を介して部品３１の取付孔３２内に横方向から装着した後、振動吸収体３３の貫通孔３４内に金属カラー３６を嵌入して、当該金属カラー３６内にスタッドボルトＢを挿入し、最後に、金属カラー３６から外方に突出するスタッドボルトＢの先端部をナット３７で締め付けることにより、振動吸収体３３を介在させた状態の下で、部品３１がパネルＰ側に一定の間隔をおいて固定されることとなる。
従って、斯る防振固定状態の下では、部品３１とパネルＰの間に振動吸収体３３が介在することとなるので、これにより、部品３１側又はパネルＰ側に生じる機械的な振動が他方に伝わることを防止できる訳である。
【０００５】
【発明が解決しようとする課題】
然し乍ら、従来の防振固定構造にあっては、確かに、部品３１とパネルＰの間に介在される振動吸収体３３の弾力性を利用することにより、機械的振動を効果的に吸収することは可能となるが、反面、この為には、使用部材の点数が多くなるばかりか、特に、振動吸収体３３を部品３１側に組み付ける場合には、振動吸収体３３を変形させながら、部品３１の取付孔３２内にその切欠口から無理矢理に押し込んで、取付孔３２の孔縁に振動吸収体３３の環状凹溝３５を係止させた後、振動吸収体３３の貫通孔３４内に締付量を規制する金属カラー３６を強制的に嵌入しなければならないので、その作業性が著しく低下してしまう大きな問題点を有していた。
しかも、この振動吸収体３３の部品３１側に対する組付作業が複数個所で要求されるような場合には、斯る作業性の問題点が一層顕著となる。
【０００６】
又、図示する従来構造とは逆に、パネル側にナットを溶接して、当該溶接ナットに金属カラー内の上方から挿入されたボルトの先端部を螺合する構造のものも存在するが、この場合には、上記の問題点に加えて、部品が比較的小さいと、ボルトの締め付け螺合時に、部品が共回りする恐れがあるので、更に、作業性が問題視されることとなる。
【０００７】
【課題を解決するための手段】
本発明の防振クリップは、斯る従来の防振固定構造が抱える課題を有効に解決するために開発されたもので、請求項１記載の防振クリップは、部品とパネルとを振動を吸収しながら固定する防振クリップを前提として、ピン状の雄部材と筒状の雌部材とから成り、雄部材は、拡大頭部と雌部材内に差し込まれる軸部を有し、雌部材は、フランジ部と雄部材の軸部で外方へ拡開してパネル側の取付孔に係着する胴部を有して、当該胴部の中間にパネル側の取付孔の周面に当接する鍔部を形成し、該鍔部に撓み可能な複数の振動吸収腕を上記フランジ部と間隔を画する状態で立設して、当該各振動吸収腕の先端部を部品側の取付孔の孔縁に弾性的に係止させて部品を保持する一方、上記鍔部よりも下側の胴部を外方へ拡開させて、当該鍔部とその下側で拡開した胴部とでパネルを挾持することを特徴とする。
【０００８】
請求項２記載の防振クリップは、部品とパネルとを振動を吸収しながら固定する防振クリップを前提として、ピン状の雄部材と筒状の雌部材とから成り、雄部材は、拡大頭部と雌部材内に差し込まれる軸部を有し、雌部材は、フランジ部と雄部材の軸部で外方へ拡開してパネル側の取付孔に係着する胴部を有して、雄部材の拡大頭部に部品側の取付孔の周面に弾接する撓み可能な複数の振動吸収腕を垂設すると共に、雌部材のフランジ部に撓み可能な複数の振動吸収腕を立設して、当該フランジ部に立設された各振動吸収腕の先端部を部品側の取付孔の孔縁に弾性的に係止させて部品を保持する一方、雌部材のフランジ部がパネル面に当接すると共に、雄部材の拡大頭部側の振動吸収腕と雌部材のフランジ部側の振動吸収腕とで部品を上下方向からの振動を吸収できるように挾持することを特徴とする。
【０００９】
請求項３記載の防振クリップは、部品とパネルとを振動を吸収しながら固定する防振クリップを前提として、ピン状の雄部材と筒状の雌部材とから成り、雄部材は、拡大頭部と雌部材内に差し込まれる軸部を有し、雌部材は、フランジ部と雄部材の軸部で外方へ拡開してパネル側の取付孔に係着する胴部を有して、当該胴部に放射状に湾曲して延びる撓み可能な複数の振動吸収片を設け、該各振動吸収片の先端縁に環状凹溝を備えたリング体を一体に連設して、当該リング体の環状凹溝を部品側の取付孔の孔縁に弾性的に係止させて部品を保持することを特徴とする。
【００１１】
依って、各請求項記載の防振クリップの下では、雄部材の軸部を雌部材内に差し込んで、雄部材を雌部材に仮止めして、雌雄の部材を部品側に予め開設されている取付孔に取り付けた後、斯る状態のまま、今度は、雌部材の胴部をパネル側に予め開設されている取付孔に挿入して、雄部材の軸部を雌部材内に完全に差し込むと、雌部材の胴部が外方へ強制的に拡開するので、これにより、部品がパネル側に一定の間隔をおいて容易に固定される。
【００１２】
又、この部品の固定状態にあっては、振動吸収手段として雌部材の鍔部に立設された振動吸収腕・雄部材の拡大頭部に垂設された振動吸収腕と雌部材のフランジ部に立設された振動吸収腕・雌部材の胴部に形成された振動吸収片とそれに連設されたリング体の作用で、部品側又はパネル側に生じる機械的な振動が他方に伝わることを有効に防止できる。
【００１３】
【発明の実施の形態】
以下、本発明を図示する各実施の形態に基づいて詳述する。
第一実施の形態に係る防振クリップは、図１に示す如く、ピン状の雄部材１と筒状の雌部材１１とから成り、当該雌雄の部材１・１１を有機的に利用して、部品とパネルとを振動を吸収しながら一定の間隔をおいて固定せんとするものである。
【００１４】
これを具体的に説明すると、前者の雄部材１は、合成樹脂で成形されて、操作溝３を形成した拡大頭部２と、一部にネジ面５を形成して拡大頭部２から垂下する軸部４とを有する構成となっている。
又、後者の雌部材１１は、同じく、合成樹脂で成形されて、図２にも示す如く、中央部が開口する円盤状のフランジ部１２と、該フランジ部１２から垂下する円筒状の胴部１３を有し、胴部１３に対しては、先端側を拡開可能な閉環二叉状となして、その対向する内面に張出部１４を形成する構成となっている。
【００１５】
従って、第一実施の形態における雄部材１と雌部材１１の関係は、雄部材１の軸部４を雌部材１１の胴部１３内の途中まで差し込むと、両部材１・１１を仮止め状態にセットでき、雄部材１の軸部４を胴部１３内に完全に差し込むと、雄部材１の軸部４と上記張出部１４の作用で、胴部１３の先端側がその閉環二叉形状に促されて外方へ強制的に拡開することとなる。
【００１６】
これに加えて、雌部材１１は、図２にも示す如く、胴部１３の略中間に環状の鍔部１５を形成して、該環状鍔部１５の上縁に上外方へ立ち上がる複数の振動吸収腕１６Ａを等間隔をおいて立設すると共に、該各振動吸収腕１６Ａの先端部外面に凹部１７を形成して、当該各振動吸収腕１６Ａの凹部１７を部品側に予め開設されている取付孔の孔縁に弾性的に係止させる構成を併せて採用している。
【００１７】
依って、斯る構成の雄部材１と雌部材１１を用いて、板状部品Ｐ１をパネルＰ２側に固定する場合には、まず、雄部材１の軸部４をフランジ部１２の開口から雌部材１１の胴部１３内に差し込んで、雄部材１を雌部材１１に仮止めした後、そのまま、部品Ｐ１側の取付孔Ｈ１内に押し込むと、各振動吸収腕１６Ａが内側に撓みながら当該取付孔Ｈ１内を通過して、各自の凹部１７を取付孔Ｈ１の孔縁に弾性的に係止するので、これにより、図３に示す如く、雄部材１と雌部材１１とが仮止め状態のまま部品Ｐ１側に取り付けられる。
【００１８】
そこで、今度は、雌部材１１の鍔部１５がパネルＰ２面に当接するまで、雌部材１１の胴部１３をパネルＰ２側に予め開設されている取付孔Ｈ２内に挿入して、雄部材１の軸部４を雌部材１１の胴部１３内に完全に差し込むと、図４に示す如く、当該雄部材１の軸部４の差し込みと胴部１３の張出部１４の作用で、胴部１３の閉環二叉状を呈する先端側が外方へ強制的に拡開するので、これにより、部品Ｐ１がパネルＰ２側に一定の間隔をおいて確実且つ容易に固定される。
【００１９】
従って、第一実施の形態の下では、従来の防振固定構造と比較すると、使用部材の点数の削減を図りながら、部品Ｐ１のパネルＰ２に対する固定作業が頗る容易となる利点を有すると共に、その固定状態にあっては、部品Ｐ１の取付孔Ｈ１の孔縁に弾性的に係止する各振動吸収腕１６Ａの存在によって、部品Ｐ１側又はパネルＰ２側に生じる機械的な振動が他方に伝わることを有効に防止できることとなる。尚、基本的には、機械的振動の内、横方向の振動は、各振動吸収腕１６Ａの内外方向への撓みで吸収され、縦方向の振動は、当該各振動吸収腕１６Ａの上下方向への撓みで吸収されることとなるが、胴部１３の拡開形状も、補助的ではあるが、縦方向の振動吸収に関与することとなる。
【００２０】
又、部品Ｐ１の固定状態を解除する必要が生じたような場合には、雄部材１の拡大頭部２に形成されている操作溝３内に工具の先端部（図示せず）を嵌め込んで、雄部材１の軸部４を所定方向に回転させれば、雌部材１１の胴部１３の拡開状態が解けるので、後は、パネルＰ２側の取付孔Ｈ２から雌部材１１の胴部１３を引き抜けば、これにより、部品Ｐ１をパネルＰ２側から簡単に取り外すことも可能となる。
【００２１】
次に、第二実施の形態に係る防振クリップを説明すると、当該防振クリップも、図５に示す如く、ピン状の雄部材１と筒状の雌部材１１のみから成るものであるが、特徴とするところは、以下の構成を採用した点にある。
【００２２】
雄部材１に対しては、図６のＡ・Ｂにも示す如く、その拡大頭部２の対向する下縁に、部品Ｐ１側の取付孔Ｈ１の周面に弾接する略Ｌ字状を呈する一対の振動吸収腕６を垂設する一方、軸部４の先端側を面取りした先細りの小巾寸法Ｌ１となして、該小巾寸法Ｌ１の先端両側面の上下方向に、深さの異なる仮止め用段部７ａと本止め用段部７ｂを対の関係をもって形成する構成を採用している。
尚、上記の振動吸収腕６に関しては、図示する如く、頭部２の周縁に沿って円弧状に垂設する以外にも、例えば、図６のＣに示す如く、成形時の型抜きが容易となるように、一対の振動吸収腕６を直線状に対向させて垂設することも実施に応じ任意である。
【００２３】
雌部材１１に対しては、そのフランジ部１２を胴部１３の開口縁には形成せずに、若干下方に下がった位置に形成して、当該フランジ部１２よりも下方に突出する部位にスリット１８によって分割された一対の分割胴片１３ａを画成して、該各分割胴片１３ａの下端内面に上記の各段部７ａ・７ｂに係脱可能に係入する係止爪１９を形成する一方、上記フランジ部１２の対向する上縁に略Ｃ字状に湾曲する一対の振動吸収腕１６Ｂを立設して、該各振動吸収腕１６Ｂの先端部に部品Ｐ１側の取付孔Ｈ１内に嵌まり込んで位置決め作用を発揮する突起２０を夫々付設する構成を採用している。
【００２４】
尚、第二実施の形態の下では、各分割胴片１３ａの係止爪１９間の間隔巾Ｌ２を上記雄部材１の軸部４の先端巾寸法Ｌ１よりも大きくなるように設定しているので、雄部材１と雌部材１１の関係は、軸部４側の段部７ａ・７ｂと分割胴片１３ａの係止爪１９とを位置合わせしながら、雄部材１の軸部４を雌部材１１の胴部１３内に差し込むと、最初に、対向する一対の分割胴片１３ａの各係止爪１９が軸部４側の仮止め用段部７ａに係入して、両部材１・１１を仮止め状態にセットでき、雄部材１の軸部４を胴部１３内に完全に差し込むと、今度は、分割胴片１３ａの各係止爪１９が軸部４側の本止め用段部７ｂに係入して、一対の分割胴片１３ａが外方へ強制的に拡開することとなる。
【００２５】
又、斯る状態のまま、拡大頭部２の操作溝３を利用して、雄部材１を９０°回転させると、上記した寸法差によって、分割胴片１３ａの係止爪１９が軸部４側の本止め用段部７ｂから外れて、雄部材１の軸部４を雌部材１１の胴部１３内から容易に引き抜くことが可能となる。
【００２６】
依って、斯る構成の雄部材１と雌部材１１を用いて、板状部品Ｐ１をパネルＰ２側に固定する場合には、まず、部品Ｐ１側の取付孔Ｈ１内に下方から上記一対の振動吸収腕１６Ｂの突起２０を嵌め込んで、雌部材１１を取付孔Ｈ１に位置決めしながら、上方から雄部材１の軸部４を雌部材１１の胴部１３内に差し込んで、各分割胴片１３ａの係止爪１９を軸部４の仮止め用段部７ａに係入すれば、これにより、図７に示す如く、雄部材１と雌部材１１とが仮止め状態のまま部品Ｐ１側に取り付けられる。
【００２７】
そこで、今度は、雌部材１１側のフランジ部１２がパネルＰ２面に当接するまで、雌部材１１の分割胴片１３ａをパネルＰ２側の取付孔Ｈ２内に挿入して、雄部材１の軸部４を雌部材１１の胴部１３内に完全に差し込むと、図８に示す如く、今度は、各分割胴片１３ａの係止爪１９が軸部４の本止め用段部７ｂに係入して、各分割胴片１３ａが外方へ強制的に拡開するので、これにより、部品Ｐ１がパネルＰ２側に一定の間隔をおいて確実且つ容易に固定される。
【００２８】
従って、第二実施の形態の下でも、従来の防振固定構造と比較すると、使用部材の点数の削減を図りながら、部品Ｐ１のパネルＰ２に対する固定作業が頗る容易となることは勿論であるが、その固定状態にあっては、部品Ｐ１とパネルＰ２の間に介在する雌部材１１側の振動吸収腕１６Ｂの存在によって、部品Ｐ１側又はパネルＰ２側に生じる機械的な振動が他方に伝わることを有効に防止できる。
【００２９】
しかし、特に、この第二実施の形態の下で、横方向の振動は、第一実施の形態のものと同様に、雌部材１１側の振動吸収腕１６Ｂの内外方向への撓みで吸収されるが、縦方向の振動は、当該各振動吸収腕１６Ｂの上下方向への撓みに加えて、先に説明した雄部材１側の振動吸収腕６の上下方向へ撓みによっても有効に吸収されるので、防振効果は更に甚大となる。
【００３０】
又、部品Ｐ１の固定状態を解除する必要が生じたような場合には、既述した如く、雄部材１を９０°回転させると、図９に示す如く、分割胴片１３ａの係止爪１９が軸部４側の本止め用段部７ｂから外れて、雄部材１の軸部４を雌部材１１の胴部１３内から容易に引き抜くことが保障できるので、部品Ｐ１をパネルＰ２から取り外す作業も至って容易となる。
【００３１】
尚、第二実施の形態においては、既述したように、雄部材１側の振動吸収腕６と雌部材１１側の振動吸収腕１６Ｂとを夫々対の関係をもって２個づつ設けたものであるが、本発明は、これに限定されるものではなく、雄部材１と雌部材１１に対して、２個以上の振動吸収腕６と１６Ｂとを等間隔をおいて設けることも十分に可能である。
【００３２】
最後に、第三実施の形態に係る防振クリップを説明すると、当該防振クリップも、図１０に示す如く、ピン状の雄部材１と筒状の雌部材１１のみから成るものであるが、特徴とするところは、以下の構成を採用した点にある。
【００３３】
雄部材１に対しては、その軸部４の先端上下方向に、仮止め用環状小径部８ａと本止め用環状大径部８ｂを形成すると共に、本止め用環状大径部８ｂの上位に径差部９を形成する構成を採用している。
【００３４】
雌部材１１に対しては、図１１にも示す如く、胴部１３の上側外周面に放射状に湾曲して延びる複数の振動吸収片１６Ｃを突設して、該各振動吸収片１６Ｃの先端縁に環状凹溝２２を有する断面コ字形状のリング体２１を一体に連設して、当該リング体２１の環状凹溝２２を部品Ｐ１側の取付孔Ｈ１の孔縁に弾性的に係止させる構成となす一方、このリング体２１の上壁２１ａは正円形状となすが、下壁２１ｂは上壁２１ａよりも若干小径となして、その一部（約４５°の範囲）を切欠２３して、一方の切欠側縁に外方に突出するガイド部２４を付与する構成を採用している。
【００３５】
更に、胴部１３の中間外周面にはパネルＰ２側の取付孔Ｈ２の周面に当接する縁部２５を形成し、同内周面に上記径差部９のストッパー部２６を形成する一方、胴部１３の下側を複数のスリット１８を介して分割して、該各分割胴片１３ａの下端内面に上記の環状小径部８ａと環状大径部８ｂに係止する係止爪１９を形成する構成となしている。
【００３６】
従って、第三実施の形態における雄部材１と雌部材１１の関係は、雄部材１の軸部４を雌部材１１の胴部１３内に差し込むと、最初に、各分割胴片１３ａの係止爪１９が軸部４側の仮止め用環状小径部８ａに係入して、両部材１・１１を仮止め状態にセットでき、雄部材１の軸部４を胴部１３内に完全に差し込むと、今度は、各分割胴片１３ａの係止爪１９が軸部４側の本止め用環状大径部８ｂに乗り上げて、各分割胴片１３ａを外方へ強制的に拡開することとなる。
【００３７】
依って、斯る構成の雄部材１と雌部材１１を用いて、板状部品Ｐ１をパネルＰ２側に固定する場合には、まず、雄部材１の軸部４を雌部材１１の胴部１３内に差し込んで、軸部４側の仮止め用環状小径部８ａに各分割胴片１３ａの係止爪１９を係入させて、雄部材１を雌部材１１に仮止めした後、各振動吸収片１６Ｃの自在な撓みを得ながら、上記リング体２１の下壁２１ｂに付与させているガイド部２４を部品Ｐ１側の取付孔Ｈ１内に差し入れながら、リング体２１を徐々に回転させると、リング体２１の環状凹溝２２が取付孔Ｈ１の孔縁に弾性的に係止するので、これにより、図１２に示す如く、雄部材１と雌部材１１とが仮止め状態のまま部品Ｐ１側に取り付けられる。
【００３８】
そこで、今度は、雌部材１１の胴部１３に形成されている縁部２５がパネルＰ２面に当接するまで、雌部材１１の分割胴片１３ａをパネルＰ２側の取付孔Ｈ２内に挿入して、雄部材１の軸部４を雌部材１１の胴部１３内に完全に差し込むと、図１３に示す如く、今度は、各分割胴片１３ａの係止爪１９が軸部４側の本止め用環状大径部８ｂに乗り上げて、各分割胴片１３ａが外方へ強制的に拡開するので、これにより、部品Ｐ１がパネルＰ２側に一定の間隔をおいて確実且つ容易に固定される。
【００３９】
従って、第三実施の形態の下でも、今までの実施の形態と同様に、使用部材の点数の削減を図りながら、部品Ｐ１のパネルＰ２に対する固定作業が容易となるばかりか、その固定状態にあっては、リング体２１と雌部材１１の胴部１３間に介在する複数の振動吸収片１６Ｃの存在によって、部品Ｐ１側又はパネルＰ２側に生じる機械的な振動が他方に伝わることを有効に防止できる。
しかも、この振動吸収片１６Ｃは、各方向へ自在に撓むことが保障されているので、横方向の振動でも、縦方向の振動でも、効果的に吸収することが可能となる。但し、部品Ｐ１の固定状態を解除する必要が生じたような場合には、第三実施の形態の下では、雄部材１の軸部４を雌部材１１の胴部１３内から強制的に引き抜くこととなる。
【００４１】
又、上記の各実施の形態では、あくまでも、その一例としてのピン状の雄部材１と筒状の雌部材１１とを個々に図示したものてあるが、この点に関しても、これらのものに限定されるものでは決してなく、同様な原理の下で、振動吸収腕１６Ａ・１６Ｂや振動吸収片１６Ｃ等が付設できるものであれば、如何なる構造のツーピース型クリップを使用することも十分に可能である。
【００４２】
【発明の効果】
以上の如く、本発明に係る防振クリップは、上記構成の採用により、従来の防振固定構造とは異なり、使用部材の点数の削減を図りながら、部品のパネルに対する固定作業を大巾に簡略化することが可能となった。
その上、振動吸収手段たる雌部材の鍔部に立設された振動吸収腕・雄部材の拡大頭部に垂設された振動吸収腕と雌部材のフランジ部に立設された振動吸収腕・雌部材の胴部に設けられた振動吸収片とそれに連設されたリング体の作用で、部品側又はパネル側に生じる機械的な振動が他方に伝わることを確実に防止できるので、防振効果の向上も期待できることとなる。
又、部品側に開設される取付孔に関しても、従来の如き切欠口を有するものに限定されることがないので、部品自体の剛性のアップを図り、その使用範囲の拡大も期待できることとなる。
【図面の簡単な説明】
【図１】本発明の第一実施の形態に係る防振クリップを分解して示す斜視図である。
【図２】同防振クリップを構成する雌部材の断面図である。
【図３】防振クリップを部品側に取り付けた状態を示す要部断面図である。
【図４】部品をパネルに固定した状態を示す要部断面図である。
【図５】本発明の第二実施の形態に係る防振クリップを分解しで示す斜視図である。
【図６】  (Ａ）は同防振クリップを構成する雄部材の正面図、(Ｂ）は同側面図、(Ｃ）は雄部材の他例を示す側面図である。
【図７】防振クリップを部品側に取り付けた状態を示す要部断面図である。
【図８】部品をパネル側に固定した状態を示す要部断面図である。
【図９】雄部材と雌部材の本止め状態を解除した状態を示す要部断面図である。
【図１０】本発明の第三実施の形態に係る防振クリップを分解して示す斜視図である。
【図１１】  (Ａ）は図１０のＡ−Ａ線断面図、(Ｂ）は図１０のＢ−Ｂ線断面図である。
【図１２】防振クリップを部品側に取り付けた状態を示す要部断面図である。
【図１３】部品をパネルに固定した状態を示す要部断面図である。
【図１４】従来の防振固定構造の一例を分解して示す要部斜視図である。
【符号の説明】
１      雄部材
２      拡大頭部
４      軸部
６      振動吸収腕
７ａ    仮止め用段部
７ｂ    本止め用段部
８ａ    仮止め用環状小径部
８ｂ    本止め用環状大径部
１１    雌部材
１２    フランジ部
１３    胴部
１３ａ  分割胴片
１５    鍔部
１６Ａ  振動吸収腕
１６Ｂ  振動吸収腕
１６Ｃ  振動吸収片
１７    凹部
１８    スリット
１９    係止爪
２０    突起
２１    リング体
２２    環状凹溝
２４    ガイド部
Ｐ１    部品
Ｈ１    部品の取付孔
Ｐ２    パネル
Ｈ１    パネルの取付孔
【図１】
0003748922.tif 000002
【図２】
0003748922.tif 000003
【図３】
0003748922.tif 000004
【図４】
0003748922.tif 000005
【図５】
0003748922.tif 000006
【図６】
0003748922.tif 000007
【図７】
0003748922.tif 000008
【図８】
0003748922.tif 000009
【図９】
0003748922.tif 000010
【図１０】
0003748922.tif 000011
【図１１】
0003748922.tif 000012
【図１２】
0003748922.tif 000013
【図１３】
0003748922.tif 000014
【図１４】
0003748922.tif 000015